(57)【要約】【課題】窓の内側に簡単に取り付けることのできる折り畳み台を提供する。【解決手段】壁に取り付け可能な折り畳み台１０であって、壁に取り付けられる第一板部材１１と、物を載せることができる第二板部材１２と、第一板部材と第二板部材とを折り畳み可能に結合すると共に、第二板部材を下から支えるためのヒンジ金具２０と、ヒンジ金具が不用意に折り畳まれてしまうことを防止するための係止部材５１とを備えている。【選択図】  図３
2004313217.tif 000002
【特許請求の範囲】
【請求項１】
壁に取り付け可能な折り畳み台であって、
壁に取り付けられる第一板部材と、
物を載せることができる第二板部材と、
前記第一板部材と前記第二板部材とを折り畳み可能に結合すると共に、前記第二板部材を下から支えるためのヒンジ金具と、
前記ヒンジ金具が不用意に折り畳まれてしまうことを防止するための係止部材とを備えていることを特徴とする折り畳み台。
【請求項２】
前記係止部材の係止を解除するためのロック解除機構を更に備えていることを特徴とする請求項１に記載の折り畳み台。
【請求項３】
前記第一板部材を壁に取り付けて前記第二板部材を開いたときの前記第二板部材の壁からの水平距離を調整するための水平方向調整機構を更に備えていることを特徴とする請求項１又は２に記載の折り畳み台。
【請求項４】
壁に取り付け可能な折り畳み台であって、
壁に取り付けられる第一板部材と、
物を載せることができる第二板部材と、
前記第一板部材と前記第二板部材とを折り畳み可能に結合すると共に、前記第二板部材を下から支えるためのヒンジ金具と、
前記第一板部材を壁に取り付けて前記第二板部材を開いたときの前記第二板部材の高さを調整する鉛直方向調整機構と、
前記第一板部材を壁に取り付けて前記第二板部材を開いたときの前記第二板部材の壁からの水平距離を調整するための水平方向調整機構とを備え、
前記ヒンジ金具は、一端部から支点を越えて突き出している延長部が設けられている連接部材を有することを特徴とする折り畳み台。
【請求項５】
前記第一板部材が建物の窓枠の下の壁に取り付けられたときに、前記鉛直方向調整機構は、前記第二板部材が開いたときの前記第二板部材の上面と窓枠の下部の張出し部の上面とがほぼ同じ高さになるように、前記第二板部材の高さを調整することができ、前記水平方向調整機構は、前記第二板部材が開いたときの前記第二板部材の壁側端面と張出し部の端面との隙間を小さくするように、前記第二板部材の壁からの水平距離を調整することができることを特徴とする請求項４に記載の折り畳み台。
【請求項６】
前記ヒンジ金具は、第一連接部材と、第二連接部材と、第三連接部材と、第四連接部材とを有しており、
前記第四連接部材は、第一板部材に取り付けられており、
前記第一連接部材は、前記第二板部材に取り付けられており、且つ前記第四連接部材の端部に設けられた第一支点に回動自在に取り付けられており、
前記第二連接部材は、前記第一連接部材の前記第一支点とは反対側の端部に設けられた第二支点に回動自在に取り付けられており、
前記第三連接部材は、前記第二連接部材の前記第二支点とは反対側の端部に設けられた第三支点に一端部が回動自在に取り付けられており、他端部が前記第四連接部材の前記第一支点とは反対側の端部に設けられた第四支点に回動自在に取り付けられており、
前記延長部は、前記第三連接部材の一端部から前記第三支点を越えて突き出していることを特徴とする請求項４又は５に記載の折り畳み台。
【請求項７】
前記鉛直方向調整機構は、前記第四連接部材に設けられた第一長穴と、前記第一長穴を通して前記第四連接部材を前記第一板部材に締結する第一ネジ部材とを含み、
前記水平方向調整機構は、前記第一連接部材に設けられた第二長穴と、前記第二長穴を通して前記第一連接部材を前記第二板部材に締結する第二ネジ部材とを含むことを特徴とする請求項４乃至６に記載の折り畳み台。
【請求項８】
前記延長部を前記第二連接部材に対して締結するための係止部材をさらに含むことを特徴とする請求項４乃至７に記載の折り畳み台。
【請求項９】
前記折り畳み台は、建物の窓枠の近傍に取り付けられて窓の内側に台を形成することを特徴とする請求項１乃至８に記載の折り畳み台。
【発明の詳細な説明】
【０００１】
【発明の属する技術分野】
本発明は、壁に取り付けることのできる折り畳み台に関し、特に、建物の窓近傍の壁に取り付けて窓枠に台を設けることができる折り畳み台に関する。
【０００２】
【従来の技術】
従来、建物の窓は、窓枠の下部にわずかな張出し部がある。図１は、建物の窓枠１を部屋の中から見た斜視図である。窓枠１は、部屋の内壁２に固定されており、窓枠１の下部には、わずかに部屋の内側へ突き出た張出し部３がある。
ところで、部屋の中で猫を飼っている人々がいる。猫は開け放たれた窓を通して外へ出たり部屋の中へ戻って来たりするのみならず、窓辺に腰掛けて外を眺めたり、転寝したりするのが好きである。しかしながら、最近は、室内が冷暖房などエアーコンディショニングされているときが多いため、窓を開け放しのままにしておくことはあまりなく、また、防犯上の理由から窓を閉めておくことが多い。このようなときでも、猫は、窓辺に腰掛けて外を眺めようとするが、窓枠１に設けられたわずかな張出し部３の上に腰掛けるのは困難である。
それでも、何とか外を眺めようと窓枠にしがみついている猫を見て、飼い主は、出窓を設けたいと考えるが、窓枠１を出窓に取り換えるのは、費用がかかるし工事も大変であるという問題がある。
【０００３】
このような問題を解決するために、本願の発明者は、出窓の代わりに、窓枠の近くの壁に台を設けることを考え出した。
【０００４】
従来、壁に取り付けられた台としては、浴室の洗い場の壁に取り付けられて洗面器を載せるための洗面器台がある（例えば、特許文献１参照）。特許文献１は、壁に取り付けられる基部と、基部に対して回動自在となるようにヒンジより基部に取り付けられた台部とからなり、回転式支持部材により台部を支える構造を開示している。しかしながら、特許文献１のヒンジと回転式支持部材とを使用した構造では、基部の水平面部を広く取る必要があるために、折り畳んだときにも、壁から水平面部がかなり長く突き出してしまう。また、窓枠に取り付けた場合には、窓枠下部の張出し部と台部１０の面が一致せずに段差ができて見栄えが悪いという問題もある。
【０００５】
また、上方から吊り下げる方式の台として、壁面に取り付けられた折り畳み収納可能な作業台がある（例えば、特許文献２参照）。特許文献２は、壁面にヒンジを介して回動可能に取り付けられた板と、板を上方から支持する支持腕とからなる作業台を開示している。しかしながら、板を上方から支持する支持腕を使用した構造の台を窓枠に取り付けた場合には、折り畳んだときに、窓が板により遮られてしまい、非常に使い勝手が悪いという問題がある。
【０００６】
さらにまた、従来、車両用の窓の付近に取り付けられる台が知られている（例えば、特許文献３及び特許文献４参照）。しかしながら、これらの台は、建物の窓枠の下部に設けられている張出し部に対して、きちんと取り付けることができるものではない。また、台部が上方へ向けて折り畳まれるため、窓のすぐ下に配置した場合には、折り畳んだときに窓を遮ってしまうという問題がある。
【０００７】
【特許文献１】
特開２００１−１９８０４０号公報（第２頁、図１〜５）
【特許文献２】
特開平８−３１０７５４号公報（第３頁、図１）
【特許文献３】
実公平１−９３１４２号公報（図１）
【特許文献４】
実公平１−７４９３４号公報（図８）
【０００８】
【発明が解決しようとする課題】
そこで、本発明は、壁に取り付けることのできる折り畳み台を提供することを目的とする。特に、本発明は、猫が腰掛けて窓の外を眺められるように、窓の内側の壁に簡単に取り付けることのできる折り畳み台を提供することを目的とする。
また、本発明は、窓の内側に取り付けられたときに見栄えが良くなるように、窓枠の下部の張出し部の高さとほぼ一致する台部を有する折り畳み台を提供することを目的とする。
さらにまた、本発明は、壁に取り付けたときに、台部を下方に折り畳むことができる折り畳み台を提供することを目的とする。
さらにまた、本発明は、折り畳み台が不用意に折り畳まれることを防止する係止部材を設けた折り畳み台を提供することを目的とする。
さらにまた、本発明は、係止部材を片手で解除して容易に折り畳むことのできる折り畳み台を提供することを目的とする。
【０００９】
【課題を解決するための手段】
前述した課題を解決する為に本発明では次のような折り畳み台とした。
すなわち、壁に取り付け可能な折り畳み台（１０；１１０）であって、
壁に取り付けられる第一板部材（１１；１１１）と、
物を載せることができる第二板部材（１２；１１２）と、
前記第一板部材と前記第二板部材とを折り畳み可能に結合すると共に、前記第二板部材を下から支えるためのヒンジ金具（２０；１２０）と、
前記ヒンジ金具が不用意に折り畳まれてしまうことを防止するための係止部材（５１；１２８）とを備えている折り畳み台とした。
【００１０】
また、前記係止部材（５１）の係止を解除するためのロック解除機構（７１）を備えているとよい。
【００１１】
また、前記第一板部材を壁に取り付けて前記第二板部材を開いたときの前記第二板部材の壁からの水平距離を調整するための水平方向調整機構（２１ａ，３２；１５２）を備えているとよい。
【００１２】
また、本発明の壁に取り付け可能な折り畳み台（１０；１１０）は、
壁に取り付けられる第一板部材（１１；１１１）と、
物を載せることができる第二板部材（１２；１１２）と、
前記第一板部材と前記第二板部材とを折り畳み可能に結合すると共に、前記第二板部材を下から支えるためのヒンジ金具（２０；１２０）と、
前記第一板部材を壁に取り付けて前記第二板部材を開いたときの前記第二板部材の高さを調整する鉛直方向調整機構（１１ａ，３１；１５１）と、
前記第一板部材を壁に取り付けて前記第二板部材を開いたときの前記第二板部材の壁からの水平距離を調整するための水平方向調整機構（２１ａ，３２；１５２）とを備え、
前記ヒンジ金具（１２０）は、一端部から支点（１４３）を越えて突き出している延長部（１２３ａ）が設けられている連接部材（１２３）を有する折り畳み台とした。
【００１３】
前記折り畳み台は、前記第一板部材が建物の窓枠（１）の下の壁（２）に取り付けられたときに、前記鉛直方向調整機構により、前記第二板部材が開いたときの前記第二板部材の上面（１１２ａ）と窓枠の下部の張出し部（３）の上面（３ａ）とがほぼ同じ高さになるように、前記第二板部材の高さを調整することができ、前記水平方向調整機構により、前記第二板部材が開いたときの前記第二板部材の壁側端面（１１２ｂ）と張出し部の端面（３ｂ）との隙間を小さくするように、前記第二板部材の壁からの水平距離を調整することができるとよい。
【００１４】
前記ヒンジ金具（１２０）は、第一連接部材（１２１）と、第二連接部材（１２２）と、第三連接部材（１２３）と、第四連接部材（１２４）とを有しており、
前記第四連接部材（１２４）は、第一板部材（１１１）に取り付けられており、
前記第一連接部材（１２１）は、前記第二板部材（１１２）に取り付けられており、且つ前記第四連接部材の端部に設けられた第一支点（１４１）に回動自在に取り付けられており、
前記第二連接部材（１２２）は、前記第一連接部材の前記第一支点とは反対側の端部に設けられた第二支点（１４２）に回動自在に取り付けられており、
前記第三連接部材（１２３）は、前記第二連接部材の前記第二支点とは反対側の端部に設けられた第三支点（１４３）に一端部が回動自在に取り付けられており、他端部が前記第四連接部材の前記第一支点とは反対側の端部に設けられた第四支点（１４４）に回動自在に取り付けられており、
前記延長部（１２３ａ）は、前記第三連接部材（１２３）の一端部から前記第三支点（１４３）を越えて突き出しているとよい。
【００１５】
前記鉛直方向調整機構（１５１）は、前記第四連接部材（１２４）に設けられた第一長穴（１２４ａ）と、前記第一長穴を通して前記第四連接部材を前記第一板部材に締結する第一ネジ部材（１３１）とを含んでいるとよく、
前記水平方向調整機構（１５２）は、前記第一連接部材（１２１）に設けられた第二長穴（１２１ａ）と、前記第二長穴を通して前記第一連接部材を前記第二板部材に締結する第二ネジ部材（１３２）とを含んでいるとよい。
【００１６】
前記延長部（１２３ａ）を前記第二連接部材（１２２）に対して締結するための係止部材（１２８）をさらに含んでいるとよい。
【００１７】
前記折り畳み台（１０；１１０）は、建物の窓枠（１）の近傍に取り付けられて窓の内側に台を形成することができる。
【００１８】
【発明の実施の形態】
以下、本発明を、好ましい実施形態に基づき図面を参照しながら説明する。
図２は、本発明による折り畳み台１０を窓枠１の近傍の部屋の内壁２に取り付けたときの斜視図である。猫１００が折り畳み台１０の上に腰掛けて窓枠１の外を眺めている様子を示している。図３は、折り畳み台１０を部屋の内壁２に取り付けて開いた状態を示す側面図である。図４は、内壁２に取り付けられた折り畳み台１０が折り畳まれた状態を示す側面図である。折り畳み台１０は、内壁２に取り付けられる第一板部材すなわち取付プレート１１と、開いたときにほぼ水平に配置される第二板部材すなわち天板１２と、取付プレート１１と天板１２とを折り畳み可能に結合するヒンジ金具２０とが備えられている。
【００１９】
ヒンジ金具２０は、第一連接部材２１と、第二連接部材２２と、第三連接部材２３とを備えている。取付プレート１１は、取付プレート１１に設けられた長穴１１ａを通る第一ネジ部材としてのボルト３１により内壁２に取り付けられる。取付プレート１１の一端部には折り曲げ部１１ｂが設けられている。折り曲げ部１１ｂには、第一支点としての第一ヒンジ４１により第一連接部材２１が回動自在に取り付けられている。第一連接部材２１は、第一連接部材２１に設けられた長穴２１ａを通る第二ネジ部材としての調節ネジ３２により天板１２に固定されている。第一連接部材２１の第一ヒンジ４１とは反対側の端部に設けられた第二支点としての第二ヒンジ４２により、第二連接部材２２が第一連接部材２１に対して回動自在に取り付けられている。第二連接部材２２の第二ヒンジ４２とは反対側の端部に設けられた第三支点としての第三ヒンジ４３により、第三連接部材２３が第二連接部材２２に対して回動自在に取り付けられている。第三連接部材２３の第三ヒンジ４３とは反対側の端部に設けられた第四支点としての第四ヒンジ４４により、第三連接部材２３が取付プレート１１に対して回動自在に取り付けられている。第四ヒンジ４４は、取付プレート１１の第一ヒンジ４１とは反対側の端部に設けられている。
【００２０】
取付プレート１１には、係止部材としてのロックアーム５１が枢支部材６１により遥動自在に取り付けられている。ロックアーム５１の一端部に設けられた穴に枢支部材６１の軸６１ａが嵌め込まれている。ロックアーム５１は、長手方向に長穴５１ａが設けられている。長穴５１ａの他端部には、係止穴５１ｂが設けられている。ロックアーム５１はヒンジピン４３ａにより第三ヒンジ４３に対して摺動可能に取り付けられている。折り畳み台１０を図４に示すような折り畳んだ状態から図３に示すような開いた状態にするときに、ヒンジピン４３ａはロックアーム５１の長穴５１ａに沿って摺動する。そして、図３に示すように、天板１２がほぼ水平状態に開くと、ヒンジピン４３ａが係止穴５１ｂに入り込む。これによって、ヒンジ金具２０が不用意に折り畳まれて、天板１２の上の物が落ちたり、天板１２と内壁２との間で指を挟んだりということを防止することができる。
【００２１】
取付プレート１１は、ボルト３１により部屋の内壁２に固定されていが、ボルト３１は、ドライバーにより締め付けるタイプのネジ、例えば、タップネジ、木ネジ、ビスなどでもよく、ネジの頭が飛び出さないように皿ネジにしてもよい。内壁２がコンクリートである場合には、アンカーボルトにより取り付ける。取付プレート１１の内壁２への固定は、ネジ部材に限らず接着剤などを用いてもよい。
【００２２】
図５は、内壁２に取り付けられた折り畳み台１０を下方から見た図である。取付プレート１１は、両端部に長穴１１ａが設けられている。長穴１１ａは、矢印Ｘで示す方向、すなわち、図３においてもっともよくわかるように、折り畳み台１０が内壁２に取り付けられたときに鉛直になる方向に長くなっている。ボルト３１は、長穴１１ａを通して内壁２に締め付けられて、取付プレート１１を内壁２に取り付けている。取付プレート１１は、ボルト３１を締め付ける前に、長穴１１ａに沿って矢印Ｘで示す方向に移動することができ、それによって、折り畳み台１０の鉛直方向の高さを調整することができる。長穴１１ａとボルト３１は、天板１２の高さを調整する鉛直方向調整機構を構成している。
また、第一連接部材２１にも、長穴２１ａが設けられている。長穴２１ａは、矢印Ｙで示す方向、すなわち、図３においてもっともよくわかるように、折り畳み台１０が内壁２に取り付けられたときに水平になる方向に長くなっている。調節ネジ３２は、長穴２１ａを通して天板１２に締め付けられている。調節ネジ３２は、手で回すことができるネジである。天板１２は、調節ネジ３２を締め付ける前に、長穴２１ａに沿って矢印Ｙで示す方向に移動することができ、それによって、天板１２と窓枠の張出し部３との間の隙間を調整することができる。調節ネジ３２と長穴２１ａは、天板１２の内壁２からの水平距離を調整するための水平方向調整機構を構成している。
なお、調節ネジ３２は、ドライバーにより締め付けるタイプのネジ、例えば、タップネジ、木ネジ、ビスなどでもよく、ネジの頭が飛び出さないように皿ネジにしてもよい。
【００２３】
折り畳み台１０を折り畳むときは、ロックアーム５１の先端部５１ｃを矢印Ａで示す方向に手指で持ち上げてヒンジピン４３ａを係止穴５１ｂから外す。そして、第三ヒンジ４３を矢印Ｂで示す方向に押し上げると、ヒンジピン４３ａがロックアーム５１の長穴５１ａに沿って摺動し、折り畳み台１０が図４に示すように折り畳まれた状態になる。
【００２４】
（ロック解除機構）
図６及び図７は、ロック解除機構としてのロック解除アーム７１を設けた実施例を示す図である。ロック解除アーム７１の両端部はネジ溝がきられていて、それぞれロックアーム５１にナット７２により回動可能に取り付けられている。ロック解除アーム７１のヒンジ金具２０に対応する部分７１ａは、コの字型に折り曲げられている。
折り畳み台１０を折り畳むときは、まず、一方の手で天板１２を持ち、他方の手でロック解除アーム７１の中央部分７１ｂを持つ。中央部分７１ｂを図７の矢印Ａで示す方向に持ち上げることにより、ヒンジピン４３ａを係止穴５１ｂから外す。次に、中央部分７１ｂを手で回転させることにより、コの字型に折り曲げられた部分７１ａを矢印Ｃで示す方向に回転させると、コの字型に折り曲げられた部分７１ａが第三ヒンジ４３を矢印Ｂで示す方向に押し上げる。これによって、ヒンジピン４３ａがロックアーム５１の長穴５１ａに沿って摺動し、折り畳み台１０が図４に示すように折り畳まれた状態になる。
ロック解除アーム７１を設けることにより、一方の手で天板１２を持ち、他方の手でロック解除アーム７１を操作して、左右両方のヒンジ金具２０を片手で同時に折り畳むことができる。
【００２５】
（別の実施例）
前記実施例においては、左右二つのヒンジ金具２０が一枚の取付プレート１１に取り付けられていたが、次に示す別の実施例においては、左右二つのヒンジ金具２０がそれぞれ第四連接部材を有している。そして、取り付けやすくするために二つの第四連接部材を取付板部材に位置調節可能に取り付けたものである。
図８は、本発明の別の実施例の折り畳み台１１０を部屋の内壁２に取り付けたときの側面図である。折り畳み台１１０は、内壁２に取り付けられる第一板部材すなわち取付板部材１１１と、ほぼ水平に配置される第二板部材すなわち天板１１２と、取付板部材１１１と天板１１２とを折り畳み可能に結合するヒンジ金具１２０とが備えられている。
【００２６】
図９は、折り畳み台１１０が内壁２に取り付けられる前の折り畳まれた状態を示す側面図である。ヒンジ金具１２０は、第一連接部材１２１と、第二連接部材１２２と、第三連接部材１２３、第四連接部材１２４とを備えている。第四連接部材１２４は、第四連接部材１２４の長手方向に長く形成された長穴１２４ａを通るボルト１３１により取付板部材１１１に固定されている（図１５参照）。第四連接部材１２４の一端部には折り曲げ部１２４ｂが設けられており、端部に第一支点としての第一ヒンジ１４１により第一連接部材１２１が回動自在に取り付けられている。第一連接部材１２１は、第一連接部材１２１の長手方向に長く形成された長穴１２１ａを通るボルト１３２により天板１１２に固定されている（図１７参照）。第一連接部材１２１の第一ヒンジ１４１とは反対側の端部に設けられた第二支点としての第二ヒンジ１４２により、第二連接部材１２２が第一連接部材１２１に対して回動自在に取り付けられている。第二連接部材１２２の第二ヒンジ１４２とは反対側の端部に設けられた第三支点としての第三ヒンジ１４３により、第三連接部材１２３が第二連接部材１２２に対して回動自在に取り付けられている。第三連接部材１２３の第三ヒンジ１４３とは反対側の端部に設けられた第四支点としての第四ヒンジ１４４により、第三連接部材１２３が第四連接部材１２４に対して回動自在に取り付けられている。第四ヒンジ１４４は、第四連接部材１２４の第一ヒンジ１４１とは反対側の端部に設けられている。
【００２７】
第三連接部材１２３は、第三ヒンジ１４３と接続されている端部から第三ヒンジ１４３を越えて突出している延長部１２３ａが設けられている。
【００２８】
図１０は、取付板部材１１１と天板１１２とを開いている途中を示す側面図である。図１１は、天板１１２をほぼ水平に開いた状態を示す側面図である。図１１において、取付板部材１１１は、ネジ部材としてのボルト１１４により部屋の内壁２に固定されている。ボルト１１４は、木ネジなどでもよく、ネジの頭が飛び出さないように皿ネジにしてもよい。なお、取付板部材１１１の内壁への固定は、ネジ部材に限らず接着剤などを用いてもよい。
【００２９】
図１１において、第三連接部材１２３の延長部１２３ａが第二連接部材１２２と接触している。第三ヒンジ１４３は、第二ヒンジ１４２と第四ヒンジ１４４とを結ぶ直線Ｄに対して左下側にずれている。したがって、天板１１２に物を載せた場合に、その荷重により第二連接部材１２２は、第三ヒンジ１４３を中心として矢印Ｅで示す方向に回転しようとする。しかし、第三連接部材１２３の延長部１２３ａが第二連接部材１２２と接触しているため、第二連接部材１２２の回転が延長部１２３ａにより阻止され、天板１１２は、ヒンジ金具１２０によりほぼ水平状態を維持される。
【００３０】
一方、第三ヒンジ１４３を矢印Ｂで示す方向に押すと、容易に天板１１２を折り畳むことができる。なお、不用意に第三ヒンジ１４３を押してしまい、天板１１２が折りたたまれることを防止するために、係止部材を設けても良い。図１２は、係止部材としてのＣ字形状部材１２８を示す斜視図である。Ｃ字形状部材１２８は、樹脂材料で形成されており、穴１２８ａが設けられている。図１３は、延長部１２３ａの別の実施例を示す斜視図であり、Ｃ字形状部材１２８の穴１２８ａに対応して、第三連接部材１２３の延長部１２３ａに円柱状突起２４ｂが設けられている。Ｃ字形状部材１２８を第二連接部材１２２に環装しておき、天板１１２を水平に開いた状態で、Ｃ字形状部材１２８をスライドさせて第三連接部材１２３の延長部１２３ａに環装する。このとき、樹脂材料の弾性により、図１４に示すように、Ｃ字形状部材１２８の穴１２８ａに延長部１２３ａの円柱状突起１２３ｂを嵌入する。これにより、延長部１２３ａを第二連接部材１２２に対して締結することができるので、不用意に第三ヒンジ１４３を押しても、誤って天板１１２が折り畳まれることがない。
【００３１】
図１１に戻って、天板１１２の上面１１２ａは、窓枠１の下部の張出し部３の上面３ａと高さが一致していない。また、天板１１２の壁側端面１１２ｂと張出し部３の端面３ｂとは接触していない。
【００３２】
図１５は、天板１１２の高さを調整する鉛直方向調整機構１５１の斜視図である。鉛直方向調整機構１５１は、第四連接部材１２４の長手方向に長い長穴１２４ａと、長穴１２４ａを通るボルト１３１とにより構成されている。ボルト１３１を緩めて、長穴１２４ａに沿ってヒンジ金具１２０を両方向矢印Ｘで示す鉛直方向に移動することにより、天板１１２の高さを調整することができる。これによって、図１６に示すように、天板１１２の上面１１２ａと窓枠１の下部の張出し部３の上面３ａとをほぼ同じ高さに調整することができる。
【００３３】
図１７は、天板１１２の内壁２からの水平距離を調整するための水平方向調整機構１５２の斜視図である。水平方向調整機構１５２は、第一連接部材１２１の長手方向に長い長穴１２１ａと、長穴１２１ａを通る第二ボルト１３２とにより構成されている。第二ボルト１３２を緩めて、長穴１２１ａに沿って天板１１２を両方向矢印Ｙで示す水平方向に移動することにより、天板１１２の内壁２からの水平距離を調整することができる。これによって、図１８に示すように、天板１１２の壁側端面１１２ｂと窓枠１の下部の張出し部３の端面３ｂとを接触させてその間の隙間をほぼなくすことができる。
【００３４】
なお、天板１１２と張出し部３に渡って、化粧板を敷けば、更に見栄えを良くすることができる。
【００３５】
【発明の効果】
以上の説明から明らかなように、本発明によれば、既存の窓の内側に容易に折り畳み台を取り付けることができ、特に有用になるものである。
また、本発明によれば、窓枠の下部の張出し部の高さと台の高さとを一致させ、さらに、張出し部と台との間の隙間をなくすことができるので、見栄えの良い台を窓の内側に容易に取り付けることができる。
さらにまた、台が不要なときは、下方へ折り畳むことができる。
【図面の簡単な説明】
【図１】建物の窓枠１を部屋の中から見た斜視図。
【図２】本発明による折り畳み台１０を窓枠１の近傍の部屋の内壁２に取り付けたときの斜視図。
【図３】折り畳み台１０を部屋の内壁２に取り付けて開いた状態を示す側面図。
【図４】内壁２に取り付けられた折り畳み台１０が折り畳まれた状態を示す側面図。
【図５】内壁２に取り付けられた折り畳み台１０を下方から見た図。
【図６】ロック解除機構としてのロック解除アーム７１を設けた実施例を示す図。
【図７】ロック解除機構としてのロック解除アーム７１を設けた実施例を示す図。
【図８】本発明の別の実施例の折り畳み台１１０を部屋の内壁２に取り付けたときの側面図。
【図９】折り畳み台１１０が内壁２に取り付けられる前の折り畳まれた状態を示す側面図。
【図１０】取付板部材１１１と天板１１２とを開いている途中を示す側面図。
【図１１】天板１１２をほぼ水平に開いた状態を示す側面図。
【図１２】係止部材としてのＣ字形状部材１２８を示す斜視図。
【図１３】延長部１２３ａの別の実施例を示す斜視図。
【図１４】Ｃ字形状部材１２８の穴１２８ａに延長部１２３ａの円柱状突起１２３ｂを嵌入した状態を示す図。
【図１５】天板１１２の高さを調整する鉛直方向調整機構１５１の斜視図。
【図１６】鉛直方向調整機構１５１により、天板１１２の上面１１２ａと張出し部３の上面３ａとをほぼ同じ高さに調整した状態を示す図。
【図１７】天板１１２の内壁２からの水平距離を調整する水平方向調整機構１５２の斜視図。
【図１８】水平方向調整機構１５２により、天板１１２の壁側端面１１２ｂと張出し部３の端面３ｂとを接触させた状態を示す図。
【符号の説明】
１      窓枠
２      部屋の内壁
３      張出し部
１０；１１０    折り畳み台
１１    取付プレート
１１１  取付板部材
１２；１１２    天板
２０；１２０    ヒンジ金具
２１；１２１    第一連接部材
２２；１２２    第二連接部材
２３；１２３    第三連接部材
２４；１２４    第四連接部材
４１；１４１    第一ヒンジ
４２；１４２    第二ヒンジ
４３；１４３    第三ヒンジ
４４；１４４    第四ヒンジ
４３ａ  ヒンジピン
５１    ロックアーム
７１    ロック解除アーム
１２８  Ｃ字形状部材
１５１    鉛直方向調整機構
１５２    水平方向調整機構
【図１】
2004313217.tif 000003
【図２】
2004313217.tif 000004
【図３】
2004313217.tif 000005
【図４】
2004313217.tif 000006
【図５】
2004313217.tif 000007
【図６】
2004313217.tif 000008
【図７】
2004313217.tif 000009
【図８】
2004313217.tif 000010
【図９】
2004313217.tif 000011
【図１０】
2004313217.tif 000012
【図１１】
2004313217.tif 000013
【図１２】
2004313217.tif 000014
【図１３】
2004313217.tif 000015
【図１４】
2004313217.tif 000016
【図１５】
2004313217.tif 000017
【図１６】
2004313217.tif 000018
【図１７】
2004313217.tif 000019
【図１８】
2004313217.tif 000020